(57)【要約】      （修正有）【課題】検査漏れを防止する。【解決手段】液晶パネル１１内には、バックライトから照射される光をフィルタリングするためのカラーフィルタがＲ，Ｇ，Ｂの三色設置されている。この液晶パネル１１を検査するための検査装置３０は、液晶パネル１１を撮像してその受光信号を出力するカメラ３１と、液晶パネル１１に対してカメラ３１とは反対側から光を照射する検査用バックライト３２と、液晶パネル１１とカメラ３１との間に介在し、液晶パネル１１の各カラーフィルタを透過した各色の光が同じ光量だったとき、それらの光をカメラ３１では同じ強度の光として検出できるようフィルタリングする補正用カラーフィルタ３５と、カメラ３１から出力される受光信号に基づいて得た検出値と、所定の検査基準値とを比較し、検査基準値を超えていた場合は欠陥として検出する演算処理部３３とを備える。【選択図】図３
2008107100.tif 000002
【特許請求の範囲】
【請求項１】
液晶パネルを検査するのに用いられる検査装置であって、
前記液晶パネルを撮像し、その受光信号を出力する撮像手段と、
前記液晶パネルに対して前記撮像手段側とは反対側から光を照射する検査用照明装置と、
前記撮像手段における可視光領域の波長に対する感度特性がフラットになるよう補正するための補正用カラーフィルタと、
前記撮像手段から出力される受光信号に基づいて得た検出値と、所定の検査基準値とを比較し、検査基準値を超えていた場合は欠陥として検出する欠陥検出手段とを備えていることを特徴とする液晶パネルの検査装置。
【請求項２】
前記補正用カラーフィルタは、前記撮像手段及び前記液晶パネルの双方に対して離間した位置に設置されていることを特徴とする請求項１記載の液晶パネルの検査装置。
【請求項３】
前記補正用カラーフィルタは、前記液晶パネルの板面に対して傾いた姿勢で支持されていることを特徴とする請求項１または請求項２記載の液晶パネルの検査装置。
【請求項４】
前記欠陥検出手段は、前記撮像手段から出力された受光信号に平滑化処理及びノイズ除去処理を施した後、二値化処理を加える演算処理部により構成されていることを特徴とする請求項１ないし請求項３のいずれかに記載の液晶パネルの検査装置。
【請求項５】
前記演算処理部から前記二値化処理に基づいて出力される判定信号が入力されるとともに、前記判定信号に基づいて判定結果を表示可能なモニタを備えていることを特徴とする請求項１ないし請求項４のいずれかに記載の液晶パネルの検査装置。
【請求項６】
ノーマリーブラックモードの前記液晶パネルを検査するようにしたことを特徴とする請求項１ないし請求項５のいずれかに記載の液晶パネルの検査装置。
【請求項７】
液晶パネルの検査方法であって、
検査用照明装置により前記液晶パネルに対して光を照射しつつ、その反対側から撮像手段により前記液晶パネルを撮像するにあたり、補正用カラーフィルタにより前記撮像手段における可視光領域の波長に対する感度特性がフラットになるよう光をフィルタリングし、欠陥検出手段により、前記撮像手段から出力された受光信号に基づいて得た検出値と、所定の検査基準値とを比較し、検査基準値を超えていた場合は欠陥として検出するようにしたことを特徴とする液晶パネルの検査方法。
【発明の詳細な説明】
【技術分野】
【０００１】
本発明は、液晶パネルの検査装置、及び液晶パネルの検査方法に関する。
【背景技術】
【０００２】
液晶表示装置の主要部品である液晶パネルでは、製造工程において製品に不良が生じていないかどうかを各種検査するようにしており、これらの検査には、いわゆる点灯検査が含まれている。
【０００３】
点灯検査では、液晶パネル全体を黒画面とし、その状態で裏側から検査用バックライトを照射しつつ、表側からカメラによって撮像することで、黒画面であるにも拘わらず漏れ出す光を検出し、その光の明るさが所定の検査基準値以上の場合は欠陥として検出するようにしている。この透過光は、液晶パネル内に形成されたＲ，Ｇ，Ｂのカラーフィルタによっていずれかの色にフィルタリングされている。
【０００４】
ところで、検査装置に用いられるカメラとしては、画素数やコストの問題から通常はモノクロカメラが用いられている。このモノクロカメラには、感度特性があり、例えばＲ，Ｇ，Ｂの光が同じ光量だったときでも、Ｂ，Ｇ，Ｒの順で高い強度で光を検出する傾向にある。その一方で、人間の視覚にも感度特性があり、同じ光量のＲ，Ｇ，Ｂの光でも、Ｇ，Ｒ，Ｂの順で明るく感じる傾向になっていて、モノクロカメラの感度特性とは相違している。
【０００５】
そこで、カメラと液晶パネルとの間に、カメラの感度特性を人間の視覚特性に合わせるための補正用カラーフィルタを設置することが考えられている。この補正用カラーフィルタは、図６に示すように、透過光の光量がＢ，Ｒ，Ｇの順で大きく、且つそれらの光を人間が見たときに同じ明るさに感じる程度だったとき、カメラにおいてそれらを同じ強度の光として検出できるように透過光をフィルタリングする設定とされる。これにより、カメラで検出した光の強度を、人間の視覚特性に適合するよう補正することができ、適切な検査を行うことができる。
【０００６】
なお、上記のような点灯検査装置の一例として、下記特許文献１に記載されたものが知られている。
【特許文献１】特開２００３−１９４６６９公報
【発明の開示】
【発明が解決しようとする課題】
【０００７】
ところで、光を常時透過する欠陥の原因としては、ＴＦＴの故障、液晶中に混入した異物などがあるが、偏光板とガラス基板との間に挟み込まれた異物も原因となり得る。このような異物は、ガラス基板の厚み分だけカラーフィルタから離れた位置にあるため、この異物に起因して視認される光は、見る角度によって異なる色のカラーフィルタを通過する。つまり、偏光板とガラス基板との間に介在する異物に基づく欠陥には視差が生じ、視認される光の色が見る角度に応じて変化するのである。
【０００８】
例えば図６の破線に示す光量のＢの光は、補正用カラーフィルタを透過する過程で検査基準値を下回る光量に補正され、欠陥として検出されないことになるが、この光は、角度によっては検査基準値を上回るＲやＧの光になり得る。従って、このような場合には検査漏れが生じるという問題があった。
【０００９】
本発明は上記のような事情に基づいて完成されたものであって、検査漏れを防止することを目的とする。
【課題を解決するための手段】
【００１０】
本発明の液晶パネルの検査装置は、液晶パネルを検査するのに用いられる検査装置であって、前記液晶パネルを撮像し、その受光信号を出力する撮像手段と、前記液晶パネルに対して前記撮像手段側とは反対側から光を照射する検査用照明装置と、前記撮像手段における可視光領域の波長に対する感度特性がフラットになるよう補正するための補正用カラーフィルタと、前記撮像手段から出力される受光信号に基づいて得た検出値と、所定の検査基準値とを比較し、検査基準値を超えていた場合は欠陥として検出する欠陥検出手段とを備えている。
【００１１】
また、本発明の液晶パネルの検査方法は、液晶パネルの検査方法であって、検査用照明装置により前記液晶パネルに対して光を照射しつつ、その反対側から撮像手段により前記液晶パネルを撮像するにあたり、補正用カラーフィルタにより前記撮像手段における可視光領域の波長に対する感度特性がフラットになるよう光をフィルタリングし、欠陥検出手段により、前記撮像手段から出力された受光信号に基づいて得た検出値と、所定の検査基準値とを比較し、検査基準値を超えていた場合は欠陥として検出するようにしている。
【００１２】
上記構成によれば、液晶パネルを検査する際には、検査用照明装置から黒表示した液晶パネルに向けて光を照射しつつ撮像手段によって液晶パネルが撮像される。ここで、液晶パネルに常時光を透過する欠陥が生じていた場合には、黒表示しているにも拘わらず、その欠陥箇所から光が漏れることになる。この透過光は、カラーフィルタにより対応する色にフィルタリングされており、その後撮像手段に至る前に、補正用カラーフィルタにより再度フィルタリングされる。この補正用カラーフィルタにより、撮像手段における可視光領域の波長に対する感度特性がフラットになるよう補正される。従って、液晶パネルに生じた欠陥が、その欠陥と撮像手段との相対的な位置関係に応じて色が変化するようなものであった場合でも、確実にその欠陥を検出することができる。
【００１３】
本発明の実施態様として、次の構成が好ましい。
（１）前記補正用カラーフィルタは、前記撮像手段及び前記液晶パネルの双方に対して離間した位置に設置される構成とする。これにより、補正用カラーフィルタを交換する際の作業が容易なものとなる。
【００１４】
（２）前記補正用カラーフィルタは、前記液晶パネルの板面に対して傾いた姿勢で支持される構成とする。これにより、検査用照明装置からの光が補正用カラーフィルタに反射し、液晶パネルに映り込む事態を回避でき、もって正確な検査を期することができる。
【００１５】
（３）前記欠陥検出手段は、前記撮像手段から出力された受光信号に平滑化処理及びノイズ除去処理を施した後、二値化処理を加える演算処理部により構成される。これにより、より正確な検査を期することができる。
【００１６】
（４）前記演算処理部から前記二値化処理に基づいて出力される判定信号が入力されるとともに、前記判定信号に基づいて判定結果を表示可能なモニタを備える構成とする。これにより、検査結果を作業者が目視により確認することができる。
【００１７】
（５）ノーマリーブラックモードの前記液晶パネルを検査する構成とする。これにより、検査を行うにあたって、液晶パネルに対して検査用信号を付与する必要がないので、検査装置の簡素化を図ることができる。
【発明の効果】
【００１８】
本発明によれば、検査漏れを防止することができる。
【発明を実施するための最良の形態】
【００１９】
＜実施形態＞
本発明の一実施形態を図１ないし図５によって説明する。本実施形態では、液晶表示装置１０の製造工程で行われる点灯検査用の検査装置３０について示す。なお、以下では上下方向について図１を基準とする。
【００２０】
まず、液晶表示装置１０の構造について説明する。液晶表示装置１０は、図１に示すように、大まかには、画像を表示するための液晶パネル１１と、液晶パネル１１の下側（裏側）に配される外部光源であるバックライト１２とを互いに組み付けた構成とされる。液晶パネル１１は、その裏側のバックライト１２と、上側（表側）に配された略枠形をなすベゼル１３との間に挟まれた状態で保持される。
【００２１】
バックライト１２は、上側（表側、液晶パネル１１側）に向けて開口した略箱形をなすケース１４と、ケース１４内に互いに平行に並んだ状態で収容される複数本の線状光源１５（例えば冷陰極管）と、ケース１４の開口部に積層した状態で配される複数の光学シート１６（例えば裏側から順に拡散板、拡散シート、レンズシート、及び輝度上昇シート）と、これら光学シート１６群をケース１４との間で挟んで保持するための略枠状のフレーム１７とから構成される。各光学シート１６は、各線状光源１５から発せられる光を面状に変換するなどの機能を有するものである。
【００２２】
液晶パネル１１は、大まかには、全体として矩形状をなしており、一対の透明な（透光性を有する）ガラス製の基板１８，１９と、両基板１８，１９間に挟持されるとともに電界印加に伴って光学特性が変化する物質である液晶２０とを備えている。両基板１８，１９は、互いに対向するとともに図示しないスペーサによって間に所定の間隔（ギャップ）を空けた状態で貼り合わせられ、間に挟持された液晶２０は、シール剤２１によって取り囲まれて液密状態に保たれる。また、両基板１８，１９の外面側（液晶２０側とは反対側の面）には、それぞれ表裏一対の偏光板２２，２３が貼り付けられている。なお、両基板１８，１９の厚み寸法は、例えば７００μｍ程度とされるのに対し、液晶２０の層の厚み寸法は、例えば３〜５μｍ程度とされている。
【００２３】
両基板１８，１９は、上側（表側）がＣＦ基板１８とされ、下側（裏側）がアレイ基板１９とされる。アレイ基板１９における内面側（液晶２０側、ＣＦ基板１８との対向面側）には、スイッチング素子（例えばＴＦＴ）及び画素電極が多数個並んで設けられるとともに、これらスイッチング素子及び画素電極（画素）の周りには、格子状をなすソース配線及びゲート配線が取り囲むようにして配設されている。アレイ基板１９の縁近辺には、各配線の端子部が設けられ、この端子部に対して画像信号を供給する外部回路に接続されたドライバが圧着接続されるようになっている。
【００２４】
一方、ＣＦ基板１８の内面側（液晶２０側、アレイ基板１９との対向面側）には、図２に示すように、アレイ基板１９側の画素電極と対向する透明な対向電極２４が設けられるとともに、各画素に対応した位置にカラーフィルタ２５が多数個並んで設けられている。カラーフィルタ２５は、バックライト１２から照射される光をフィルタリングし、特定の波長の光の透過を許容する機能を有する。カラーフィルタ２５は、Ｒ（赤色），Ｇ（緑色），Ｂ（青色）の三色に対応したものが交互に並ぶ配置とされる。各カラーフィルタ２５間には、光漏れを防止するための遮光材料からなるブラックマトリクス２６が設けられている。またカラーフィルタ２５は、平面視矩形状をなしており、その長辺が例えば６００μｍ程度とされるのに対し、短辺が例えば２００μｍ程度とされる。なお以下ではカラーフィルタ２５を区別する場合には、赤色のものの符号に添え字Ｒを、緑色のものの符号に添え字Ｇを、青色のものの符号に添え字Ｂを付し、区別せずに総称する場合には、符号に添え字を付さないものとする。
【００２５】
また、この液晶パネル１１は、各配線に信号を付与せず、液晶２０に電界印加しない状態では、光の透過率が最小となって黒表示される、いわゆるノーマリーブラックモードのものとなっている。
【００２６】
上記した構成の液晶パネル１１を製造する過程では、液晶パネル１１に不良が生じていないかどうかを調べるため、各種検査が行われている。この検査の一つとして、液晶パネル１１に各種欠陥が生じていないかを検査する点灯検査がある。続いて、点灯検査に用いる検査装置３０について説明する。
【００２７】
検査装置３０は、図３に示すように、液晶パネル１１の上側（表側）に配されるとともに液晶パネル１１を撮像可能とされるカメラ３１と、液晶パネル１１の裏側に配されるとともに液晶パネル１１に向けて光を照射可能な検査用バックライト３２と、カメラ３１に接続されるとともにカメラ３１から入力された受光信号を演算処理する演算処理部３３と、演算処理部３３に接続されたモニタ３４と、液晶パネル１１とカメラ３１との間に配される補正用カラーフィルタ３５とから構成される。
【００２８】
カメラ３１は、撮像素子としてＣＣＤエリアセンサを内蔵している。このカメラ３１は、色の識別能力を有さない、いわゆるモノクロカメラとされる。カメラ３１は、図示は省略するが合計４台並んで設置されており、各カメラ３１により液晶パネル１１の画面を４つの領域に分割して撮像できるようになっている。このカメラ３１は、可視光領域における波長に対して所定の感度特性を有しており、例えばＲ，Ｇ，Ｂの光が同じ光量だったときでも、Ｂ，Ｇ，Ｒの順で高い強度で（明るく）光を検出する傾向にある。そして、このカメラ３１は、撮像時に受光信号を演算処理部３３へ出力できるようになっている。
【００２９】
検査用バックライト３２は、液晶表示装置１０を構成するバックライト１２に準ずる構成であり、詳しくは図示しないが、上面側が開口した略箱型をなすケース内に多数本の線状光源（例えば冷陰極管）を収容するとともに、ケースにおける上面側に複数枚の光学シートを積層して設置した構成とされ、全体として面状の光を照射可能とされる。
【００３０】
演算処理部３３は、カメラ３１から出力された受光信号に所定の演算処理を加えることで、欠陥の有無を判定する機能を有する。詳しくは、演算処理部３３では、入力された受光信号に平滑化処理やノイズ除去処理などの前処理を施した後、二値化処理を加えるようにしており、得られた検出値が所定の閾値、つまり検査基準値を上回る場合は、欠陥があると見なしてＮＧと判定し、下回る場合は、欠陥がないと見なしてＯＫと判定するとともに、その判定信号をモニタ３４へ出力する。モニタ３４では、演算処理部３３から出力された判定信号に基づいて、「ＯＫ」または「ＮＧ」の判定結果などを表示できるようになっている。
【００３１】
続いて、液晶パネル１１とカメラ３１との間に介設される補正用カラーフィルタ３５について詳しく説明する。この補正用カラーフィルタ３５は、カメラ３１における可視光領域の波長に対する感度特性がフラットになるよう補正するためのものであり、具体的には、図４に示すように、液晶パネル１１内のカラーフィルタ２５を透過した各色の光が同じ光量だったとき、それらの光をカメラ３１において同じ強度の光として検出できるようフィルタリングする設定とされている。言い換えると、補正用カラーフィルタ３５では、光がどの色であっても元の光量（補正用カラーフィルタ３５を透過する前の光量）と、カメラ３１において検出される光の強度との比率が同じになるようフィルタリングされる。より具体的には、この補正用カラーフィルタ３５は、Ｂ，Ｇ，Ｒの順、つまりカメラ３１が高い強度で検出する順にフィルタリングする光量が大きくなる設定とされる。なお、図４は、同図左側が補正用カラーフィルタ３５を透過する前におけるＲ，Ｇ，Ｂ各色の光の光量を表し、同図右側が補正用カラーフィルタ３５を透過した後にカメラ３１に検出されたＲ，Ｇ，Ｂ各色の光の強度を表している。
【００３２】
補正用カラーフィルタ３５は、図示しないアタッチメントによってカメラ３１から吊り下げられ、カメラ３１から下方に離間し且つ液晶パネル１１から上方に離間した位置に固定的に支持されている。これにより、例えば補正用カラーフィルタをカメラ３１のレンズに一体的に設けた場合と比較して、補正用カラーフィルタ３５の交換作業の容易化が図られている。さらにこの補正用カラーフィルタ３５は、液晶パネル１１の板面に対して傾いた姿勢に支持されている。これにより、検査用バックライト３２からの光が補正用カラーフィルタ３５に反射し、液晶パネル１１に映り込む事態を回避することができる。
【００３３】
本実施形態は以上のような構造であり、続いてその作用を説明する。液晶パネル１１を製造する際には、既知の方法によりアレイ基板１９側にスイッチング素子や画素電極などを形成する一方、ＣＦ基板１８側にカラーフィルタ２５や対向電極２４などを形成した後、両基板１８，１９を貼り合わせてその間に液晶２０を注入する。その後、両基板１８，１９の外面側にそれぞれ偏光板２２，２３を貼り付けたら、上記した構成の検査装置３０を用いて、液晶パネル１１の点灯検査を行う。
【００３４】
図３に示すように、検査対象となる液晶パネル１１を検査装置３０における所定の位置にセットしたら、検査用バックライト３２を点灯させつつ、カメラ３１により液晶パネル１１を撮像する。このとき、液晶パネル１１の各配線には外部回路を接続することなく、各配線に電圧を印加しない状態、つまり黒画面の状態で撮像をする。なお、このとき検査用バックライト３２は、常時点灯させても、撮像時にのみ点灯させるようにしてもどちらでも構わない。また、検査対象である液晶パネル１１は、ノーマリーブラックモードであるから、液晶パネル１１に対して検査用信号を付与する必要がない。これにより、検査装置３０の簡素化が実現されている。
【００３５】
ここで、液晶パネル１１に常時光を透過する欠陥が生じていた場合には、その欠陥により光がカメラ３１側へ漏れ出すことになる。この透過光は、液晶パネル１１内でカラーフィルタ２５を通って所定の色にフィルタリングされてから、補正用カラーフィルタ３５を通った後、カメラ３１に達する。
【００３６】
撮像に伴いカメラ３１から出力された受光信号は、演算処理部３３に入力されて各種演算処理が行われる。そして、得られた光の強度の検出値を検査基準値と比較し、検出値が検査基準値を超えていた場合には、欠陥があり、越えていない場合は欠陥がない、と判定し、それに応じた判定信号を出力する。モニタ３４では、入力された判定信号に基づいて「ＯＫ」または「ＮＧ」の判定結果などを表示される。作業者は、モニタ３４を目視することで、検査結果を確認することができる。
【００３７】
ところで、常時光を透過する欠陥は、図５に示すように、ＣＦ基板１８と表側の偏光板２２との間に挟まった異物Ｘが原因で生じる場合がある。この場合は、異物Ｘがカラーフィルタ２５に対してＣＦ基板１８の厚み分だけ離れた位置に配されることになるため、この異物Ｘに起因して視認される光は、見る角度によって異なる色のカラーフィルタ２５を透過することになる。つまり、この種の（基板１８，１９の外側に生じた）欠陥では、視差が生じることになり、液晶パネル１１の板面方向における異物Ｘとカメラ３１との相対的な位置関係によって色が変化するのである。
【００３８】
具体的には、カメラ３１が図５の実線に示す位置にあった場合は、異物Ｘの真下に位置する青色のカラーフィルタ２５Ｂを通った青色の光がカメラ３１により検出される。ところが、カメラ３１が図５の二点鎖線に示す位置にあった場合は、異物Ｘの左斜め下側に位置する緑色のカラーフィルタ２５Ｇを通った緑色の光がカメラ３１により検出される。同様に、カメラ３１が別の位置にあったときは、赤色のカラーフィルタ２５Ｒを通った赤色の光がカメラ３１に検出されることもある。この欠陥の明るさ（液晶パネル１１を透過する光の光量）は、異物Ｘの大きさ・形状・材質などに依存する。なお上記以外にも、アレイ基板１９と裏側の偏光板２３との間に挟まった異物や、偏光板２２，２３の表面に付着した異物も常時光を透過し且つ見る角度によって色が変化する欠陥の原因となり得る。
【００３９】
仮に、従来のようにカメラ３１の感度特性を人間の視覚特性に合わせた補正用カラーフィルタを用いた場合には、例えば異物Ｘにより青色のカラーフィルタ２５Ｂを通った光が、従来の補正用カラーフィルタを通ることで、検出基準値を下回る強度の光としてカメラ３１に検出されたとしても、その光の色が緑色や赤色だったときには、検出基準値を上回っている場合があり、その場合には、検査漏れが生じることになる（図６を参照）。
【００４０】
その点、本実施形態に係る検査装置によれば、液晶パネル１１を透過した光は、カメラ３１に到達する前に、補正用カラーフィルタ３５を通ることで、図４に示すように、光がどの色であっても元の光量（補正用カラーフィルタ３５を透過する前の光量）と、カメラ３１において検出される強度との比率が同じになるようフィルタリングされ、カメラ３１では光がどの色であっても同じ強度の光として検出することができる。つまり、カメラ３１における可視光領域の波長に対する感度特性がフラットになるように補正されるので、カメラ３１に到達した光の色が何であっても、検査基準値を超えているものについては確実に検出することができる。これにより、従来のような検査漏れが生じることが防止される。
【００４１】
以上説明したように本実施形態によれば、液晶パネル１１の各カラーフィルタ２５を透過した各色の光が同じ光量だったとき、それらの光をカメラ３１では同じ強度の光として検出できるようフィルタリングする補正用カラーフィルタ３５をカメラ３１と液晶パネル１１との間に介設して、カメラ３１における可視光領域の波長に対する感度特性がフラットになるよう補正するようにしたから、液晶パネル１１に生じた欠陥が、その欠陥とカメラ３１との相対的な位置関係に応じて色が変化するようなものであった場合でも、確実にその欠陥を検出することができ、もって検査漏れを防止することができる。
【００４２】
また、補正用カラーフィルタ３５は、カメラ３１及び液晶パネル１１の双方に対して離間した位置に設置されているから、補正用カラーフィルタ３５を交換する際の作業が容易なものとなる。
【００４３】
また、補正用カラーフィルタ３５は、液晶パネル１１の板面に対して傾いた姿勢で支持されているから、検査用バックライト３２からの光が補正用カラーフィルタ３５に反射し、液晶パネル１１に映り込む事態を回避でき、もって正確な検査を期することができる。
【００４４】
＜他の実施形態＞
本発明は上記記述及び図面によって説明した実施形態に限定されるものではなく、例えば次のような実施形態も本発明の技術的範囲に含まれる。
【００４５】
（１）上記した実施形態では、欠陥の有無を検査するための検査装置を例示したが、加えて欠陥の位置情報を取得するようにしたものも本発明に含まれる。
【００４６】
（２）上記した実施形態では、偏光板を貼り付けた後で行われる点灯検査に検査装置を用いた場合を例示したが、偏光板を貼り付ける前の段階で行われる点灯検査に用いるようにしてもよい。その場合でも、基板の外面に付着した異物を検出するのに有効である。
【００４７】
（３）上記した実施形態では、補正用カラーフィルタがカメラから離間して設置されたものを例示したが、補正用カラーフィルタをカメラのレンズなどに一体的に設けるようにしたものも本発明に含まれる。
【００４８】
（４）上記した実施形態では、補正用カラーフィルタを液晶パネルの板面に対して傾けた姿勢で支持したものを例示したが、補正用カラーフィルタを液晶パネルと平行に設置したものも本発明に含まれる。
【００４９】
（５）上記した実施形態では、カメラの撮像素子としてＣＣＤエリアセンサを用いた場合を示したが、ＣＭＯＳエリアセンサなど他の種類の撮像素子を用いたものも本発明に含まれる。
【００５０】
（６）上記した実施形態では、検査対象である液晶パネルのカラーフィルタをＲ，Ｇ，Ｂの三色とした場合を示したが、Ｃ（シアン），Ｍ（マゼンダ），Ｙ（イエロー）の三色のカラーフィルタを有する液晶パネルを検査する場合にも本発明は適用可能である。
【００５１】
（７）上記した実施形態では、ノーマリーブラックモードの液晶パネルを検査する場合を示したが、各配線に信号を付与せず、液晶に電界印加しない状態では、光の透過率が最大となって白表示される、いわゆるノーマリーホワイトモードの液晶パネルを検査する場合にも、本発明は適用可能である。
【図面の簡単な説明】
【００５２】
【図１】本発明の一実施形態に係る液晶表示装置の断面図
【図２】液晶パネルの拡大断面図
【図３】検査装置の全体を表す概略図
【図４】補正用カラーフィルタを透過する前の各色の光の光量と、補正用カラーフィルタを透過した後にカメラに検出された各色の光の強度との関係を表す説明図
【図５】視差が生じる欠陥に関する説明図
【図６】従来の補正用カラーフィルタを透過する前の各色の光の光量と、従来の補正用カラーフィルタを透過した後にカメラに検出された各色の光の強度との関係を表す説明図
【符号の説明】
【００５３】
１１…液晶パネル
１２…バックライト（外部光源）
２５…カラーフィルタ
３０…検査装置
３１…カメラ（撮像手段）
３２…検査用バックライト（検査用照明装置）
３３…演算処理部（欠陥検出手段）
３４…モニタ
３５…補正用カラーフィルタ
【図１】
2008107100.tif 000003
【図２】
2008107100.tif 000004
【図３】
2008107100.tif 000005
【図４】
2008107100.tif 000006
【図５】
2008107100.tif 000007
【図６】
2008107100.tif 000008